(57)【要約】【課題】流通過程での不正開封防止機能と廃棄処理時の分別回収機能とを二つの機能を兼ね備えた不正開封防止及び分別回収機能付キャップを提供する。【解決手段】キャップ本体の周壁の前方外周上端縁部に、内面に嵌着用凸部を設ける弯出部分を中央に形成する不正開封防止用帯体を、弯出部分をキャップ本体のヒンジ対向側に対向して、周方向に並ぶ複数個の脆弱小ブリッジで接続し、左側後方外周上端縁部に、接続基部に後方方向へ把手部が延設する分別回収用把手を突設し、接続基部の下辺右端から前方側へ傾斜し周壁下端に達する斜めの薄肉脆弱線を形成し、蓋のヒンジの対向側の前方部に、不正開封防止用帯体の弯出部分の内側に収容可能な開閉用つばを突設し、開閉用つばの上面外周縁部に嵌着用凹部を設け、蓋の周壁の左側後方外周下端縁部のキャップ本体の分別回収用把手の対応位置に、分別回収用把手を覆う絡み防止用カバーを突設する。【選択図】図１ 
2005231635.tif 000002
【特許請求の範囲】
【請求項１】
プルリングで開口するキャップ本体の後方部に、ヒンジを介して開閉可能に蓋が接続するキャップにおいて、前記キャップ本体の周壁の前方外周上端縁部に、内面上端に嵌着用凸部を設ける弯出部分を中央に形成する不正開封防止用帯体を、前記弯出部分を前記キャップ本体の前記ヒンジの対向側に対向させて、周方向に並ぶ複数個の脆弱小ブリッジで接続し、左側後方外周上端縁部に、接続基部に後方方向へ把手部が延設する分別回収用把手を突設し、該分別回収用把手の接続基部の下辺右端から前方側へ傾斜し周壁下端に達する斜めの薄肉脆弱線を形成し、前記蓋の前記ヒンジの対向側の前方部に、前記不正開封防止用帯体の弯出部分の内側に収容可能な開閉用つばを突設し、該開閉用つばの上面外周縁部に、前記不正開封防止用帯体の嵌着用凸部と嵌合する嵌着用凹部を設け、前記蓋の周壁の左側後方外周下端縁部の前記キャップ本体の分別回収用把手の対応位置に、前記分別回収用把手を覆う絡み防止用カバーを突設したことを特徴とする不正開封防止及び分別回収機能付キャップ。
【発明の詳細な説明】
【技術分野】
【０００１】
本発明は、プルリングで開封するキャップ本体に蓋がヒンジを介して開閉し、流通過程で不正開封がしにくく、使用後には容器本体から分別回収し易い不正開封防止及び分別回収機能付キャップに関するものである。
【背景技術】
【０００２】
従来、市場の店頭などでの商品の不正開封、例えば、ＰＥＴボトル（ポリエチレンテレフタレートを二軸延伸ブロー成形したボトル）の口頸部には、キャップ本体にヒンジを介して蓋が接続するキャップが装着されているが、このキャップの蓋が、流通過程の店頭などにおいて故意に開けられ、キャップ本体の注出筒に収容されているプルリングを引っ張って、注出筒の内側下方の封鎖板に設けられいる環状薄肉脆弱線を破断してキャップ本体を開封したのち、再度、そのままの状態で蓋をキャップ本体に閉じて、そのまま店頭に戻すと言う悪戯が多く見られていた。また、最近では、環境保全の問題から、使用後のボトルを廃棄処理するときに、材質の異なる各部品を材質ごとに分別して回収する機運が高まって来ていた。このため、キャップに不正開封防止機能をもたせたキャップや、使用済みの容器を廃棄処理するときに、ボトルから分別回収がし易くしたキャップについて、これまでに、数多くの発明や考案がなされて来た。
【発明の開示】
【発明が解決しようとする課題】
【０００３】
しかしながら、ボトルの口頸部に装着されるキャップにおいて、流通過程での不正開封防止機能と廃棄処理時の分別回収機能とを一つキャップで兼ね備えたキャップは、残念なことに、まだ開発されていなかった。
【０００４】
本発明は、上述の従来のキャップの流通時や廃棄処理時の問題点を解決したものであり、流通過程での不正開封防止機能と廃棄処理時の分別回収機能とを二つの機能を兼ね備えた不正開封防止及び分別回収機能付キャップを提供するものである。
【課題を解決するための手段】
【０００５】
すなわち、本発明の発明は、プルリングで開口するキャップ本体の後方部に、ヒンジを介して開閉可能に蓋が接続するキャップにおいて、前記キャップ本体の周壁の前方外周上端縁部に、内面上端に嵌着用凸部を設ける弯出部分を中央に形成する不正開封防止用帯体を、前記弯出部分を前記キャップ本体の前記ヒンジの対向側に対向させて、周方向に並ぶ複数個の脆弱小ブリッジで接続し、左側後方外周上端縁部に、接続基部に後方方向へ把手部が延設する分別回収用把手を突設し、この分別切断用帯部の接続基部の下辺右端から前方側へ傾斜し周壁下端に達する斜めの薄肉脆弱線を形成し、前記蓋の前記ヒンジの対向側の前方部に、前記不正開封防止用帯体の弯出部分の内側に収容可能な開閉用つばを突設し、この開閉用つばの上面外周縁部に、前記不正開封防止用帯体の嵌着用凸部と嵌合する嵌着用凹部を設け、前記蓋の周壁の左側後方外周下端縁部の前記キャップ本体の分別回収用把手の対応位置に、前記分別回収用把手を覆う絡み防止用カバーを突設したことを特徴とする不正開封防止及び分別回収機能付キャップである。
【発明の効果】
【０００６】
本発明の不正開封防止及び分別回収機能付キャップ（１０）は、図２（ａ）及び（ｂ）又は図６（ａ）に示すように、キャップ本体（１００）に蓋（２００）を閉じると、図４に示すように、蓋の開閉用つば（２３０）の上面外周縁部に設けられた嵌着用凹部（２３１）が、キャップ本体の外周に脆弱小ブリッジ（１７０）で接続する不正開封防止用帯体
（１６０）の弯出部分（１６１）の内面上端に設けられた嵌着用凸部（１６２）と嵌合して、図２（ａ）に示すように、蓋の開閉用つば（２３０）が不正開封防止用帯体（１６０）の弯出部分（１６１）の内側に収容される。このため、図６（ｂ）に示すように、不正開封防止用帯体（１６０）を脆弱小ブリッジ（１７０）を切断して取り去らない限りは、蓋（２００）を開閉用つば（２３０）で開くことができない。この結果、不正開封（悪戯）を防止できる。また、流通過程で不正開封されたことは、外観から容易に確認することができる。
【０００７】
また、本発明の不正開封防止及び分別回収機能付キャップ（１０）を装着するボトルは、内容物を使用したのち容器を廃棄処理するときに、図６（ｃ）に示すキャップ本体（１００）の左側後方外周上端縁部に突設する分別回収用把手（１８０）の把手部（１８１）を指でつまんで前方側へ引き下げると、分別回収用把手の接続基部（１８２）の下辺右端から前方外側へ傾斜しキャップ本体の周壁（１５０）の下端に達する図３に示す斜めの薄肉脆弱線（１５２）が破断され、キャップがボトルの口頸部から外すことができる。このため、材質ごとの分別回収が容易となる。
【０００８】
なお、本発明の不正開封防止及び分別回収機能付キャップ（１０）は、充填機上で、図６（ａ）に示すキャップ本体（１００）が蓋（２００）で封止された状態でボトルの口頸部に装着されるが、図１に示すキャップ本体（１００）の周壁（１５０）の左側後方外周上端縁部に設けられた分別回収用把手（１８０）が、図２（ａ）及び（ｂ）に示すように、蓋（２００）の周壁（１５０）の左側後方外周下端縁部に突設する絡み防止用カバー（２４０）により覆われているため、キャップの分別回収用把手と他のキャップの分別回収用把手との絡み合いが防止され、充填機上での作業性が良好となる。
【発明を実施するための最良の形態】
【０００９】
次に、本発明の不正開封防止及び分別回収機能付キャップの一実施形態について、図を用いて詳細に説明する。
【００１０】
図１は、本実施形態の不正開封防止及び分別回収機能付キャップの蓋を開いた状態の平面図である。図２（ａ）は、図１のキャップのキャップ本体に蓋を装着したときの平面図であり、図２（ｂ）は、その正面図面である。図３は、図２（ａ）のキャップのＡ−Ａ’線断面図であり、図４は、Ｂ−Ｂ’線断面図であり、図５は、Ｃ−Ｃ’線断面図である。図６（ａ）は、未開封の本実施形態の不正開封防止及び分別回収機能付キャップの斜視図であり、図６（ｂ）は、開封するため不正開封防止用帯体を取り外す状態を示す斜視図で、図６（ｃ）は、分別回収するために分別回収用把手を操作する状態を示す斜視図である。
【００１１】
本実施形態の不正開封防止及び分別回収機能付キャップ（１０）は、図１に示すように、プルリング（１４４）で注出筒（１３０）の内側の封止する封鎖板（１４０）を開口するキャップ本体（１００）に、ヒンジ（３００）を介して開閉可能に蓋（２００）が接続するキャップであり、流通過程時における不正開封防止機能と使用後の廃棄処分時の分別回収機能との二つ機能を兼ね備えるキャップである。なお、本実施形態のキャップは、脆弱小ブリッジや薄肉脆弱線をもち、これらを破断する必要があるため、破断可能な低密度ポリエチレンなどの熱可塑性樹脂を用いて、射出成形法によりキャップ本体と蓋と一体に成形するものである。
【００１２】
本実施形態のキャップ本体（１００）の構造は、図１又は図３に示すように、天板（１１０）の周縁部に外周に沿って液垂れ防止リング（１２０）を立設し、その内側の天板に注出筒（１３０）を立設し、この注出筒の内側下方に封鎖板（１４０）を設けて封鎖し、この封鎖板の開口予定位置に、下面に切込み（１４１）を設けて上面に環状薄肉脆弱線（
１４２）を形成し、この環状薄肉脆弱線の内側近傍位置に、先端にプルリング（１４４）をもつ支柱（１４３）を突設するものであり、そして、周壁（１５０）の外周上端には、内面上端に嵌着用凸部（１６２）を設ける弯出部分（１６１）を中央に形成する不正開封防止用帯体（１６０）を、弯出部分をキャップ本体（１００）のヒンジ（３００）の対向側に対向させて、周方向にほぼ等間隔で並ぶ複数個の脆弱小ブリッジ（１７０）で接続するものである。そして、図１に示すように、周壁（１５０）の左側後方外周上端縁部に、接続基部（１８２）に後方方向へ把手部（１８１）が延設する分別回収用把手（１８０）を突設し、この分別切断用帯部の接続基部の下辺右端から前方側へ傾斜し周壁下端に達する図３に示す斜めの薄肉脆弱線（１５２）を形成するものである。この斜めの薄肉脆弱線は、成形時にアンダーカットとなり、離型時に無理抜きとなる。この無理抜きの離型抵抗を緩和させるために、斜めの薄肉脆弱線の後方側下方位置に、図３に示す縦の無理抜き用凹溝（１５３）を設けるものである。なお、天板（１１０）下面には、図３に示すように、ボトルの口部を封止するためのインナー封止リング（１１１）（外周面を口部内周面に密接）を垂設し、このインナー封止リングの外側にコンタクト封止リング（１１２）（先端を口部天面に密接）を設けるものである。
【００１３】
蓋（２００）の構造は、図１又は図３に示すように、天板（２１０）と周壁（２２０）とからなり、天板の下面に、キャップ本体（１００）の注出筒（１３０）を封止するインナー封止リング（２１１）（内周面を注出筒内周面に密接）を垂設し、ヒンジ（３００）の対向側の周壁外周面下端に、不正開封防止用帯体（１６０）の弯出部分（１６１）の内側に収容可能な開閉用つば（２３０）を突設し、この開閉用つばの上面外周縁部に、図４に示すように、不正開封防止用帯体（１６０）の内面上端に設ける嵌着用凸部（１６２）と嵌合する嵌着用凹部（２３１）を設け、図１及び図２（ａ）に示すように、蓋（２００）の周壁（２２０）の左側後方外周下端縁部のキャップ本体（１００）の分別回収用把手（１８０）の対応位置に、分別回収用把手を覆う絡み防止用カバー（２４０）を突設するものである。また、図３、図４及び図５に示すように、周壁（２２０）の内周面下方に、キャップ本体（１００）の液垂れ防止リング（１２０）を封止するコンタクト封止リング（２２１）（先端が液垂れ防止リングの上面に密接）を設けるものである。
【００１４】
蓋（２００）をキャップ本体に閉じると、図２（ａ）に示すように、蓋の開閉用つば（２３０）がキャップ本体の不正開封防止用帯体（１６０）の弯出部分（１６１）に収容された状態で嵌着する。この本実施形態の不正開封防止及び分別回収機能付キャップは、内容物を充填したボトルの口頸部に咬合又は螺合により装着されるものである。ボトルを開封して内容物を注出するときは、まず、蓋の開閉用つばを収容して取り囲む不正開封防止用帯体を取り外し、開閉用つばにより蓋を後方へ開き、次に、注出筒内に収容されているプルリングを上方へ引っ張って、注出筒の内側の封鎖板に設けられている環状薄肉脆弱線を破断して開口してボトルを開封し、このボトルを傾斜させて内容物を注出筒から注出するものである。
【００１５】
そして、空になったボトルを廃棄処理するときは、キャップ本体の左側後方外周上端縁部に突設する分別回収用把手の把手部を指でつまんで前方外側へ引き下げると、周壁に設けられている斜めの薄肉脆弱線が破断されて、ボトル口頸部からキャップを容易に取り外すことができ、キャップを分別回収して廃棄するものである。
【図面の簡単な説明】
【００１６】
【図１】本発明の一実施形態の不正開封防止及び分別回収機能付キャップの蓋を開いた状態の平面図である。
【図２】（ａ）は、図１のキャップのキャップ本体に蓋を装着したときの平面図であり、（ｂ）は、その正面図面である。
【図３】図２（ａ）のキャップのＡ−Ａ’線断面図である。
【図４】図２（ａ）のキャップのＢ−Ｂ’線断面図である。
【図５】図２（ａ）のキャップのＣ−Ｃ’線断面図である。
【図６】（ａ）は、未開封の本発明の一実施形態の不正開封防止及び分別回収機能付キャップの斜視図であり、（ｂ）は、開封するため不正開封防止用帯体を取り外す状態を状態を示す斜視図である。（ｃ）は、分別回収するために分別回収用把手を操作する状態を状態を示す斜視図である。
【符号の説明】
【００１７】
１０……キャップ
１００……キャップ本体
１１０，２１０……天板
１１１，２１１……インナー封止リング
１１２，２２１……コンタクト封止リング
１２０……液垂れ防止リング
１３０……注出筒
１４０……封鎖板
１４１……環状切込み
１４２……環状薄肉脆弱線
１４３……支柱
１４４……プルリング
１５０，２２０……周壁
１５１……咬合リング
１５２……斜めの薄肉脆弱線
１５３……無理抜き用凹溝
１６０……不正開封防止用帯体
１６１……弯出部分
１６２……嵌合凸部
１７０……脆弱小ブリッジ
１８０……分別回収用把手
１８１……把手部
１８２……接続基部
２００……蓋
２３０……開閉用つば
２３１……嵌合凹部
２４０……絡み防止用カバー
２５１……薄肉脆弱部
３００……ヒンジ
【図１】
2005231635.tif 000003
【図２】
2005231635.tif 000004
【図３】
2005231635.tif 000005
【図４】
2005231635.tif 000006
【図５】
2005231635.tif 000007
【図６】
2005231635.tif 000008